(57)【要約】【課題】  スピーカの取り付け位置が流出口に対してオフセットされた位置にズレて配置されても、吸気騒音の打消効果を高めることのできる吸気系消音装置を提供する。【解決手段】  吸気系消音装置は、フィルタハウジング６の内部に音波信号を放出するスピーカ１４と、このスピーカ１４を通電制御するＥＣＵ１５とを具備する。フィルタハウジング６は、エアフィルタ５を囲む内側壁面１６と、これを覆う外側壁面１７とを備え、その間に環状の音通路１８を形成している。内側壁面１６には、対向する位置に干渉音放出穴１９が形成され、その干渉音放出穴１９は、スピーカ１４の干渉音で振動する薄膜２１によって閉塞されている。薄膜２１からフィルタハウジング６内に放出される干渉音が、吸気騒音を周囲から挟み込むため、スピーカ１４の取り付け位置が流出口９に対してオフセットされていても、吸気騒音を効率的に打ち消すことができる。【選択図】  図１
2010106714.tif 000002
【特許請求の範囲】
【請求項１】
通過する空気を濾過するエアフィルタと、
空気の流入口、および内燃機関側に連通する流出口を備え、内部に前記エアフィルタを収容するフィルタハウジングと、
電気信号を音波信号に変換するものであり、前記フィルタハウジングの内部に音波信号を放出するスピーカと、
このスピーカを通電制御して、前記内燃機関側から前記流出口を介して前記フィルタハウジング内に伝達される吸気騒音とは逆相の干渉音を前記フィルタハウジング内に発生させる制御手段とを具備する吸気系消音装置において、
この吸気系消音装置は、前記スピーカから前記フィルタハウジング内に放出される干渉音が、前記流出口から前記フィルタハウジング内に伝達される吸気騒音を、複数方向から挟むことを特徴とする吸気系消音装置。
【請求項２】
請求項１に記載の吸気系消音装置において、
前記フィルタハウジングは、前記エアフィルタを囲む内側壁面と、この内側壁面の外周を覆って前記内側壁面との間に音通路を形成する外側壁面とを備え、
前記内側壁面には、対向する位置に干渉音放出穴が形成され、
前記外側壁面には、前記音通路内に干渉音を放出する１つの前記スピーカが取り付けられ、
前記干渉音放出穴には、前記スピーカが放出する干渉音による振動が可能で、且つ空気の通過を阻止する薄膜が設けられることを特徴とする吸気系消音装置。
【請求項３】
請求項２に記載の吸気系消音装置において、
前記薄膜が設けられる前記干渉音放出穴は、前記エアフィルタの周囲を四方から囲むことを特徴とする吸気系消音装置。
【発明の詳細な説明】
【技術分野】
【０００１】
本発明は、内燃機関（以下、エンジンと称す）の吸気騒音を抑える吸気系消音装置に関する。
【背景技術】
【０００２】
エンジンは、運転に伴って吸気騒音を発生する。エンジンの発生する吸気騒音は、吸気管を伝播して吸気管の端（外気の取入口）等から大気中に放出される。
そこで、吸気騒音に含まれる種々の周波数の合成よりなる音成分（音圧と周波数成分よりなる疎密波）を低減させるために、（ｉ）インレットダクトやアウトレットホースを長くする手段や、（ｉｉ）図６に示すように、共鳴周波数の異なる複数種のレゾネータＪ１を吸気管の途中に設けるパッシブ型の吸気系消音装置が提案されている。
【０００３】
しかし、上記（ｉ）の手段では、吸気通路が非常に長くなってしまう。このため、非常に長い吸気系と、この非常に長い吸気系を搭載するための大きな搭載スペースが必要になってしまう。
また、上記（ｉｉ）の手段では、複数のレゾネータＪ１を吸気管の途中に設けるために、大きな搭載スペースが必要になってしまう。さらに、複数のレゾネータＪ１により吸気通路の圧力損失が大きくなってしまう。
【０００４】
そこで、図７に示すように、フィルタハウジングＪ２にスピーカＪ３を取り付け、エンジンからフィルタハウジングＪ２内に侵入する吸気騒音に、スピーカＪ３から逆位相の干渉音を与えることで、吸気騒音を打ち消すアクティブ型の吸気系消音装置が知られている（例えば、特許文献１、２参照）。
ここで、吸気騒音を打ち消すには、吸気騒音（音波）の進行方向に対向するようにスピーカＪ３を取り付けることが要求される。即ち、フィルタハウジングＪ２の流出口Ｊ４（吸気騒音の侵入口）に対向する位置にスピーカＪ３を配置することが要求される。
【０００５】
しかしながら、種々の設計上の理由（吸気通路のレイアウト等）から流出口Ｊ４に対向する位置にスピーカＪ３を配置することが困難な場合が多い。
このため、図７に示すように、スピーカＪ３は、吸気騒音が侵入する流出口Ｊ４に対してオフセットされた位置にズレて配置されることになる。その結果、吸気騒音の進行方向とはズレた角度から逆位相の干渉音を与えることになり、吸気騒音の打消効果が弱まってしまう不具合があった。
【特許文献１】特開平９−１２６０７６号公報
【特許文献２】特開平９−１５１８１７号公報
【発明の開示】
【発明が解決しようとする課題】
【０００６】
本発明は、上記問題点に鑑みてなされたものであり、その目的は、スピーカの取り付け位置が流出口に対してオフセットされた位置にズレて配置されても、吸気騒音の打消効果を高めることのできる吸気系消音装置の提供にある。
【課題を解決するための手段】
【０００７】
［請求項１の手段］
請求項１の手段の吸気系消音装置は、スピーカからフィルタハウジング内に放出される干渉音が、流出口からフィルタハウジング内に伝達される吸気騒音を、複数方向から挟むものである。
即ち、フィルタハウジング内に伝達された吸気騒音は、複数方向（２方向、３方向、４方向、あるいはそれ以上の方向）から放射される干渉音によって挟まれる。
このように、フィルタハウジング内において吸気騒音が、複数方向の干渉音に挟まれることで、吸気騒音の進行方向と、干渉音の進行方向がズレていても、吸気騒音を干渉音によって効率的に打ち消すことができる。
【０００８】
［請求項２の手段］
請求項２の手段の吸気系消音装置のフィルタハウジングは、エアフィルタを囲む内側壁面と、この内側壁面の外周を覆って内側壁面との間に音通路を形成する外側壁面とを備える。内側壁面には、対向する位置に干渉音放出穴が形成され、外側壁面には、音通路内に干渉音を放出する１つのスピーカが取り付けられる。そして、干渉音放出穴には、スピーカが放出する干渉音による振動が可能で、且つ空気の通過を阻止する薄膜が設けられる。  これにより、１つのスピーカによって、複数の干渉音放出穴から内側壁面内（吸気騒音が侵入する室内）へ干渉音を放出することができる。
【０００９】
また、薄膜によって吸気が通過する吸気通路とスピーカとが分離され、吸気通路内において発生した水分や汚物（例えば、ブローバイガスやＥＧＲガスの吹き戻し等）がスピーカに付着する不具合を回避することができる。
さらに、干渉音放出穴の開口径による共振周波数と、吸気騒音における所定周波数（例えば、乗員が不快と感じる周波数等）とを一致させることで、所定周波数において薄膜の振幅を増強することができる。これにより、スピーカの能力を下げることができ、コストの低減、重量の低減、取り付けスペースの低減を図ることができる。
【００１０】
［請求項３の手段］
請求項３の手段の吸気系消音装置において薄膜が設けられる干渉音放出穴は、エアフィルタの周囲を四方から囲むものである。
これにより、１つのスピーカによって、吸気騒音を周囲から包み込むように囲んで吸気騒音を打ち消すことができる。即ち、１つのスピーカにて広範囲で、且つ均一な干渉音を吸気騒音に付与することができる。このように、干渉音が吸気騒音を全周から挟み込んで打ち消すため、吸気騒音の打消効果を極めて高めることができる。
【発明を実施するための最良の形態】
【００１１】
最良の形態の吸気系消音装置は、通過する空気を濾過するエアフィルタと、空気の流入口、および内燃機関側に連通する流出口を備え、内部にエアフィルタを収容するフィルタハウジングと、電気信号を音波信号に変換するものであり、フィルタハウジングの内部に音波信号を放出するスピーカと、このスピーカを通電制御して、内燃機関側から流出口を介してフィルタハウジング内に伝達される吸気騒音とは逆相の干渉音をフィルタハウジング内に発生させる制御手段とを具備する。
そして、この吸気系消音装置は、スピーカからフィルタハウジング内に放出される干渉音が、流出口からフィルタハウジング内に伝達される吸気騒音を、複数方向から挟むものである。
【００１２】
具体的に、フィルタハウジングは、エアフィルタを囲む内側壁面と、この内側壁面の外周を覆って内側壁面との間に音通路を形成する外側壁面とを備える。
内側壁面には、対向する位置に干渉音放出穴が形成され、外側壁面には、音通路内に干渉音を放出する１つのスピーカが取り付けられる。
そして、干渉音放出穴には、スピーカが放出する干渉音による振動が可能で、且つ空気の通過を阻止する薄膜が設けられる。なお、薄膜が設けられる干渉音放出穴は、エアフィルタの周囲から囲むことが望ましい。
【実施例１】
【００１３】
本発明の吸気系消音装置の一例を、図１〜図３を参照して説明する。
車両は、燃料の燃焼により車両走行用の出力を生じさせるエンジンを搭載している。このエンジンは、気筒内に吸気を導く吸気通路１と、気筒内で発生した排気ガスを排出する排気通路とを備える。
吸気通路１は、吸気管、インテークマニホールドおよび吸気ポートの各内部通路よりなる。
【００１４】
吸気管には、吸気中に含まれる塵や埃を除去する吸気濾過器２、吸気量を計測する吸気量センサ３（エアフロセンサ）、気筒内に吸引される吸気量の調整を行なうスロットルバルブ４等が設けられている。
インテークマニホールドは、吸気管から供給される吸気をエンジンの各気筒内に分配する分岐管であり、その内部には吸気量センサ３の精度に悪影響を与える吸気脈動や吸気干渉を防ぐためのサージタンクが設けられている。
【００１５】
吸気ポートは、エンジンのシリンダヘッドに形成されて、インテークマニホールドによって分配された吸気を気筒内に導く。
ここで、シリンダヘッドには、各気筒内に吸気を導く吸気ポートの他に、各気筒内で生成された排気ガスを排出する排気ポートが形成されている。そして、シリンダヘッドには、各気筒毎に、吸気ポートの出口端（気筒内との境界部）を開閉する吸気バルブと、排気ポートの入口端（気筒内との境界部）を開閉する排気バルブとが設けられている。
【００１６】
エンジンは、吸入、圧縮、爆発、排気の各行程を順次繰り返すものであり、吸気の開始時に吸気バルブが開かれ、吸気の終了時に吸気バルブが閉じられる。このエンジンの吸気動作と吸気バルブの開閉動作によって、吸気通路１には吸気騒音が発生する。具体的に、エンジンの吸気動作と吸気バルブの開閉動作によって発生した吸気騒音は、吸気ポート→インテークマニホールド→吸気管の順で、外気の取入口に向かって伝播する。
【００１７】
このエンジンを搭載する車両には、エンジンの運転に伴って発生する吸気騒音を低減する吸気系消音装置が搭載されている。
この吸気系消音装置は、エンジン側から吸気濾過器２の内部に侵入した吸気騒音を、吸気濾過器２の内部で打ち消すものである。
【００１８】
先ず、吸気濾過器２の基本構造を説明する。
吸気濾過器２は、空気の濾過を行なうエアフィルタ５と、このエアフィルタ５を収容するフィルタハウジング６（エアクリーナケース）とで構成される。
エアフィルタ５は、通過する空気の濾過を行なう濾材エレメントと、この濾材エレメントを保持するフィルタ枠とからなり、フィルタハウジング６内を通過する空気が全てエアフィルタ５を通過するようにフィルタハウジング６内に配置される。
【００１９】
フィルタハウジング６は、空気の流入口７が形成された樹脂製の上流側ケース８と、エンジン側に連通する流出口９が形成された樹脂製の下流側ケース１０とを組み合わせた箱体であり、内部にエアフィルタ５を収容する。
なお、図１に示すフィルタハウジング６の流入口７には外気の取入口が形成されるインレットダクト１１が延長して設けられており、流出口９にはアウトレットホース１２に接続されるアウトレットダクト１３が延長して設けられている。そして、上流側ケース８と下流側ケース１０との接合面に、エアフィルタ５の外周縁に形成されたリブ５ａが挟み付けられて、エアフィルタ５がフィルタハウジング６内に固定されている。
【００２０】
吸気系消音装置は、フィルタハウジング６に取り付けられて、フィルタハウジング６の内部に音波信号を放出するスピーカ１４と、このスピーカ１４を通電制御するＥＣＵ１５（エレクトリック・コントロール・ユニットの略：制御手段に相当する）とを具備する。そして、この実施例の吸気系消音装置は、スピーカ１４からフィルタハウジング６内に放出される干渉音が、流出口９からフィルタハウジング６内に伝達される吸気騒音を、複数方向から挟むように設けられている。
【００２１】
上記の特徴技術を具体的に説明する。
スピーカ１４は、電気信号を音波信号に変換する周知構造のものであり、この実施例ではダイナミック型スピーカを用いるものである。ダイナミック型スピーカは、磁石の磁界内に配置したコイルを通電することでコイルに磁力を発生させ、磁石の磁力に対するコイルの発生する磁力の変化（磁気吸引と磁気反発）によりコイルを振動させるものであり、コイルに結合された振動板（コーン紙等）が振動することで、空気に疎密波を付与するものである。
【００２２】
ＥＣＵ１５は、周知のコンピュータと、スピーカ１４を駆動する増幅回路（アンプリファイア）とを組み合わせたものであり、エンジン側から流出口９を介してフィルタハウジング６内に伝達される吸気騒音とは逆相の干渉音をフィルタハウジング６内に発生させるようにスピーカ１４を駆動制御するものである。
ここで、フィルタハウジング６内に伝達される吸気騒音とは逆相にてスピーカ１４を駆動制御する手段として、フィードバック制御を用いる方法と、フィードフォワード制御（オープン制御）を用いる方法とがある。
【００２３】
フィードバック制御は、フィルタハウジング６よりエンジン側の吸気通路１内に生じる吸気騒音をマイクロフォンで検出し、マイクロフォンが検出した吸気騒音がフィルタハウジング６内に到達した時の位相とは逆相となる干渉音の波形をＥＣＵ１５によって作成し、作成した干渉音の波形を増幅回路で増幅してスピーカ１４を駆動する制御方法である。  
【００２４】
フィードフォワード制御は、エンジンの吸気動作と吸気バルブの開閉動作によって吸気騒音が吸気ポートを逆流してフィルタハウジング６に到達することを利用するものである。即ち、エンジンの運転状態とフィルタハウジング６に到達する吸気騒音とに一定の関係があることを利用するものである。具体的に、フィードフォワード制御は、エンジンの回転状態（クランク角センサ等から検出または予測される吸気バルブの開閉状態）に基づいて、吸気騒音がフィルタハウジング６内に到達するタイミングにおいて、フィルタハウジング６内に到達した吸気騒音とは逆相となる干渉音の波形をＥＣＵ１５によって作成し、作成した干渉音の波形を増幅回路で増幅してスピーカ１４を駆動する制御方法である。
【００２５】
ＥＣＵ１５は、スピーカ１４の発生する干渉音の音圧（音量）も制御する。ＥＣＵ１５は、フィルタハウジング６内に伝達される吸気騒音の音圧を打ち消す音圧となるようにスピーカ１４の駆動能力を制御するものであり、スピーカ１４の位相制御と同様、スピーカ１４の発生する干渉音の音圧もフィードバック制御、あるいはフィードフォワード制御するものである。
【００２６】
次に、スピーカ１４からフィルタハウジング６内に放出される干渉音が、流出口９からフィルタハウジング６内に伝達される吸気騒音を、複数方向から挟む具体例を説明する。フィルタハウジング６は、上述したように箱体形状（６面体形状）を呈するものであり、６面のうち対向する２面に流入口７と流出口９が形成され、流入口７から流入した空気がスムーズに流出口９からエンジン側に向かって流れるように設けられている。
【００２７】
フィルタハウジング６を成す６面のうち、流入口７と流出口９が形成されていない残りの４面は環状に連続するものであり、この４面をエアフィルタ５を囲む内側壁面１６と称す（図２参照）。
また、フィルタハウジング６には、内側壁面１６の外周を全周を覆う外側壁面１７が設けられており、内側壁面１６と外側壁面１７との間に環状の音通路１８が形成される（図３参照）。
なお、この実施例では、エアフィルタ５よりエンジン側において消音を行なうべく、内側壁面１６および外側壁面１７が下流側ケース１０に設けられている。
【００２８】
内側壁面１６には、対向する位置に干渉音放出穴１９が形成されている。具体的にこの実施例では、４面ある内側壁面１６の全ての各面の略中央部に干渉音放出穴１９が形成されている（図３参照）。
外側壁面１７には、音通路１８内に干渉音を放出する１つのスピーカ１４が取り付けられている。この実施例に示すスピーカ１４の背面空間（バックキャビティ）は、樹脂製のスピーカ収容箱２０によって密閉される（図３参照）。このスピーカ収容箱２０は、パッキングを介して外側壁面１７にネジなどの締結具によって固定されるものである。なお、スピーカ１４の背面空間と音通路１８内とを音道ダクトで連通して、背面空間に放出される音圧を利用して音通路１８内の音圧を高めても良い。
【００２９】
全ての干渉音放出穴１９は、スピーカ１４が放出する干渉音（音通路１８内を介して伝播された干渉音を含む）による振動が可能で、且つ空気の通過を阻止する薄膜２１によって閉塞されている。薄膜２１の材料や厚さ等は限定されるものではないが、その一例を開示すると、この実施例の薄膜２１は厚さが２００〜３００μｍ程のＰＥＮ（ポリエステルナフタレート）であり、干渉音放出穴１９を気密に閉塞するように、接着剤や溶着技術などによって内側壁面１６に取り付けられている。
なお、薄膜２１と内側壁面１６との環状接合部に、空気の通過を阻止し、且つ軟らかい素材よりなる環状エッジを設け、薄膜２１の振動による薄膜支持部分の破損を防ぐようにしても良い。
【００３０】
（実施例１の効果）
この実施例１の吸気系消音装置は、運転作動指示が与えられると（例えば、イグニッションスイッチのＯＮ）、スピーカ１４が駆動されて干渉音を発生する。スピーカ１４の発生した干渉音は、対向する２つの薄膜２１から内側壁面１６に囲まれた空間内に放出される。その結果、対向する２つの薄膜２１からフィルタハウジング６内に放出される干渉音が、流出口９からフィルタハウジング６内に伝達される吸気騒音を、周囲から囲むように挟み込む。
このように、フィルタハウジング６内において吸気騒音が、周囲から放出される干渉音に囲まれて挟み込まれることで、吸気騒音の進行方向と、干渉音の進行方向がズレていても、吸気騒音を干渉音によって効率的に打ち消すことができる。
これにより、吸気騒音が消音され、車両の静寂性能を高めることができる。
【００３１】
この実施例１の吸気系消音装置は、１つのスピーカ１４によって複数の干渉音放出穴１９に設けたそれぞれの薄膜２１を振動させて、フィルタハウジング６内の吸気騒音を囲むように挟み込むものである。このように、吸気騒音を挟むように、複数の薄膜２１を振動させるものであるが、スピーカ１４の数が１つで済むため、スピーカ１４に要するコストの低減、重量の低減、取り付けスペースの低減を図ることができる。
【００３２】
この実施例１の吸気系消音装置は、薄膜２１によって、吸気が通過する吸気通路１内（内側壁面１６の内部）と、スピーカ１４が露出する音通路１８の内部とが分離されるため、吸気通路１内において発生した水分や汚物（例えば、ブローバイガスやＥＧＲガスの吹き戻し等）がスピーカ１４に付着する不具合を回避することができる。これによって、長期に亘って水分や汚物によるスピーカ１４の作動不良の発生を防ぐことができ、吸気系消音装置の信頼性を高めることができる。
【００３３】
ここで、干渉音放出穴１９の開口径は、吸気騒音における所定周波数（例えば、１００Ｈｚ等）を低減するように決定されている。即ち、吸気騒音のうちで特に騒音を下げたい周波数と、開口径（開口面積）で決定される共振周波数とが一致するように、開口径を設定している。
これにより、共振周波数によって薄膜２１の振幅を増強することができ、吸気騒音における所定周波数（例えば、乗員が不快と感じる周波数等）を低減することができる。また、スピーカ１４の能力を下げることが可能になり、コストの低減、重量の低減、取り付けスペースの低減を図ることができる。
【００３４】
さらに実施例１の吸気系消音装置は、薄膜２１が設けられる干渉音放出穴１９がエアフィルタ５の周囲を四方から囲むものである。
これにより、１つのスピーカ１４によって、吸気騒音を周囲から包み込むように囲んで吸気騒音を打ち消すことができる。即ち、１つのスピーカ１４にて広範囲で、且つ均一な干渉音を吸気騒音に付与することができる。このように、干渉音が吸気騒音を全周から挟み込んで打ち消すため、吸気騒音の打消効果を極めて高めることができる。
【実施例２】
【００３５】
実施例２を図４、図５を参照して説明する。なお、実施例２において実施例１と同一符号は、同一機能物を示すものである。
上記の実施例１では、４面ある内側壁面１６の全ての各面に薄膜２１で閉塞される干渉音放出穴１９を設ける例を示した。
これに対し、この実施例２では、４面ある内側壁面１６のうちの対向する２面の略中央部のみに薄膜２１で閉塞される干渉音放出穴１９を設け、フィルタハウジング６内に侵入した吸気騒音を両側から挟み付けて打ち消すものである。このように、吸気騒音を両側から挟み付けて打ち消しても、従来技術に比較して吸気騒音の打消効果を高めることができる。
【００３６】
〔変形例〕
上記の実施例では、スピーカ１４の一例としてダイナミック型スピーカを示したが、セラミックスピーカ（圧電型スピーカ等）、静電容量型スピーカ（コンデンサスピーカ、リボン型スピーカ等）、マイクロスピーカなど、他のスピーカを用いても良い。
また、スピーカ１４としてセラミックスピーカや静電容量型スピーカのような膜状スピーカを用いる場合は、干渉音放出穴１９に取り付けられる薄膜２１をそのまま膜状スピーカに置き替えて用いても良い。
さらに、上記の実施例では、スピーカ１４を１つ設ける例を示したが、スピーカ１４を２つ以上用いても良い。即ち、複数のスピーカ１４から放出される干渉音によって、フィルタハウジング６内の吸気騒音を挟み付けて打ち消しても良い。
【図面の簡単な説明】
【００３７】
【図１】アクティブ型の吸気系消音装置の概略図である（実施例１）。
【図２】下流側ケースにおける内側壁面の構造例を示す斜視図である（実施例１）。
【図３】エアフィルタを除いた状態における吸気濾過器の概略断面図である（実施例１）。
【図４】下流側ケースにおける内側壁面の構造例を示す斜視図である（実施例２）。
【図５】エアフィルタを除いた状態における吸気濾過器の概略断面図である（実施例２）。
【図６】パッシブ型の吸気系消音装置の概略図である（従来例１）。
【図７】アクティブ型の吸気系消音装置の概略図である（従来例２）。
【符号の説明】
【００３８】
５  エアフィルタ
６  フィルタハウジング
７  流入口
９  流出口
１４  スピーカ
１５  ＥＣＵ（制御手段）
１６  内側壁面
１７  外側壁面
１８  音通路
１９  干渉音放出穴
２１  薄膜
【図１】
2010106714.tif 000003
【図２】
2010106714.tif 000004
【図３】
2010106714.tif 000005
【図４】
2010106714.tif 000006
【図５】
2010106714.tif 000007
【図６】
2010106714.tif 000008
【図７】
2010106714.tif 000009